(57)【要約】【課題】道路管理者向けの広告を適切に表示させることを課題とする。【解決手段】広告表示プログラムは、所定の道路管理システムにログインする道路管理者により管轄される管轄道路の劣化度を算出し、道路管理者の管轄道路の劣化度に応じて、道路管理システムにより提供される画面の一部に表示させる道路補修に関する広告を決定する、処理をコンピュータに実行させる。【選択図】図１
2020140388.tif 000002
【特許請求の範囲】
【請求項１】
所定の道路管理システムにログインする道路管理者により管轄される管轄道路の劣化度を算出し、
前記道路管理者の管轄道路の劣化度に応じて、前記道路管理システムにより提供される画面の一部に表示させる道路補修に関する広告を決定する、
処理をコンピュータに実行させる広告表示プログラム。
【請求項２】
前記算出する処理は、所定の道路区間ごとに劣化度の区分が対応付けられた劣化度データのうち前記道路管理者により管轄される区域に含まれる道路区間を対象とし、前記劣化度の区分ごとに当該区分に属する道路区間を集計し、
前記決定する処理は、前記劣化度の区分ごとに得られる道路区間の集計値のうち最大の道路区間の集計値が算出された区分に対応する広告を表示対象の広告として決定することを特徴とする請求項１に記載の広告表示プログラム。
【請求項３】
前記算出する処理は、前記道路管理システムにより提供される画面に道路地図が含まれる場合、前記劣化度データのうち前記道路地図が表示される範囲に含まれる道路区間を対象とし、前記劣化度の区分ごとに当該区分に属する道路区間を集計することを特徴とする請求項２に記載の広告表示プログラム。
【請求項４】
前記算出する処理は、所定の道路区間ごとに劣化度の区分が対応付けられた劣化度データのうち前記道路管理者により管轄される区域に含まれる道路区間を対象とし、前記劣化度の区分ごとに当該区分に属する道路区間の数が全区分の総数に占める割合を算出し、
前記決定する処理は、前記割合が所定の閾値以上である前記劣化度の区分に対応する広告を表示対象の広告として決定することを特徴とする請求項１に記載の広告表示プログラム。
【請求項５】
前記算出する処理は、前記道路管理システムにより提供される画面に道路地図が含まれる場合、前記劣化度データのうち前記道路地図が表示される範囲に含まれる道路区間を対象とし、前記劣化度の区分ごとに当該区分に属する道路区間の数が全区分の総数に占める割合を算出することを特徴とする請求項４に記載の広告表示プログラム。
【請求項６】
前記決定する処理は、前記割合が所定の閾値以上である前記劣化度の区分に対応する広告の背景を前記区分に対応する表示形態で表示させることを決定する請求項４に記載の広告表示プログラム。
【請求項７】
所定の道路管理システムにログインする道路管理者により管轄される管轄道路の劣化度を算出し、
前記道路管理者の管轄道路の劣化度に応じて、前記道路管理システムにより提供される画面の一部に表示させる道路補修に関する広告を決定する、
処理をコンピュータが実行する広告表示方法。
【請求項８】
所定の道路管理システムにログインする道路管理者により管轄される管轄道路の劣化度を算出する算出部と、
前記道路管理者の管轄道路の劣化度に応じて、前記道路管理システムにより提供される画面の一部に表示させる道路補修に関する広告を決定する決定部と、
を有することを特徴とする広告表示装置。
【発明の詳細な説明】
【技術分野】
【０００１】
本発明は、広告表示プログラム、広告表示方法及び広告表示装置に関する。
【背景技術】
【０００２】
インターネット広告、オンライン広告、あるいはＷｅｂ広告とも呼ばれる技術を通じて、Ｗｅｂサイト上で様々な種類の商品の広告が行われている。
【先行技術文献】
【特許文献】
【０００３】
【特許文献１】特開２０１４−２０３３２８号公報
【特許文献２】特開２０１０−１０８４２０号公報
【発明の概要】
【発明が解決しようとする課題】
【０００４】
しかしながら、上記の技術では、道路管理者向けの広告を適切に表示させることが困難である。
【０００５】
１つの側面では、本発明は、道路管理者向けの広告を適切に表示させることができる広告表示プログラム、広告表示方法及び広告表示装置を提供することを目的とする。
【課題を解決するための手段】
【０００６】
一態様では、広告表示プログラムは、所定の道路管理システムにログインする道路管理者により管轄される管轄道路の劣化度を算出し、前記道路管理者の管轄道路の劣化度に応じて、前記道路管理システムにより提供される画面の一部に表示させる道路補修に関する広告を決定する、処理をコンピュータに実行させる。
【発明の効果】
【０００７】
道路管理者向けの広告を適切に表示させることができる。
【図面の簡単な説明】
【０００８】
【図１】図１は、実施例１に係る広告表示装置の機能的構成の一例を示すブロック図である。
【図２Ａ】図２Ａは、ウィンドウの一例を示す図である。
【図２Ｂ】図２Ｂは、ウィンドウの一例を示す図である。
【図３】図３は、パトロールデータの一例を示す図である。
【図４Ａ】図４Ａは、劣化度の区分集計値の割合の一例を示す図である。
【図４Ｂ】図４Ｂは、劣化度の区分集計値の割合の一例を示す図である。
【図４Ｃ】図４Ｃは、劣化度の区分集計値の割合の一例を示す図である。
【図５】図５は、閾値データの一例を示す図である。
【図６】図６は、広告データの一例を示す図である。
【図７Ａ】図７Ａは、広告の決定結果の一例を示す図である。
【図７Ｂ】図７Ｂは、広告の決定結果の一例を示す図である。
【図７Ｃ】図７Ｃは、広告の決定結果の一例を示す図である。
【図８Ａ】図８Ａは、メニュー画面の一例を示す図である。
【図８Ｂ】図８Ｂは、メニュー画面の一例を示す図である。
【図８Ｃ】図８Ｃは、メニュー画面の一例を示す図である。
【図９】図９は、実施例１に係る広告表示処理の手順を示すフローチャートである。
【図１０】図１０は、実施例１及び実施例２に係る広告表示プログラムを実行するコンピュータのハードウェア構成例を示す図である。
【発明を実施するための形態】
【０００９】
以下に添付図面を参照して本願に係る広告表示プログラム、広告表示方法及び広告表示装置について説明する。なお、この実施例は開示の技術を限定するものではない。そして、各実施例は、処理内容を矛盾させない範囲で適宜組み合わせることが可能である。
【実施例１】
【００１０】
［システム構成］
図１は、実施例１に係る広告表示装置の機能的構成の一例を示すブロック図である。図１に示す広告表示装置１０は、道路の部材業者や工事業者などを広告主とし、道路管理者を消費者とする道路管理者向けの広告を道路管理者により使用される消費者端末３０に表示する広告表示サービスを提供するものである。
【００１１】
ここで、上記の広告表示サービスは、あくまで一例として、下記の道路パトロール支援サービスのプラットフォームにアドインされる。例えば、道路パトロール支援サービスとは、パトロール車両３が搭載する携帯端末装置３に内蔵されたセンサからセンサデータを収集し、道路の劣化度を解析して地図情報と組み合わせて可視化するサービスを指す。ここで言う「劣化度」は、道路の劣化度合いを示すものであれば任意の指標であってかまわない。例えば、路面上の凹凸にとどまらず、ひび割れや空洞、あるいはこれらが総合的に評価された指標であってかまわない。このようなアドインによって、道路パトロール支援サービスに加入するサービス加入者の一例に対応する道路管理者により使用される消費者端末３０に道路管理者向けの広告を提供できる。
【００１２】
図１に示すように、広告表示装置１０は、ネットワークＮＷを介して、携帯端末装置３ａや消費者端末３０と接続され得る。このネットワークＮＷは、有線または無線を問わず、インターネットやＬＡＮ（Local  Area  Network）などの任意の種類の通信網であってかまわない。
【００１３】
携帯端末装置３ａのあくまで一例として、ＧＰＳ（Global  Positioning  System）受信機や加速度センサなどを標準装備するスマートフォン等の汎用機器が挙げられる。携帯端末装置３ａは、パトロール車両３に搭載されることにより、上記の道路パトロール支援サービスに活用される。
【００１４】
携帯端末装置３ａが搭載されるパトロール車両３は、道路管理者が道路をパトロールする側面から用いられる車両である。例えば、パトロール車両３は、路面状態を測定する専用の機材が組み込まれた測定車両でなくともよく、任意の車両、すなわち自動車全般であってかまわない。
【００１５】
このような携帯端末装置３ａが搭載された状態でパトロール車両３が走行することで、携帯端末装置３ａから上記の道路パトロール支援サービスのプラットフォームへモバイルネットワーク等を介して下記のセンサデータが収集される。例えば、上記のプラットフォームには、センサデータの一例として、ＧＰＳ受信機等により測定された位置と、加速度センサにより検出された加速度とが対応付けられた時系列データが収集される。
【００１６】
消費者端末３０は、上記の道路管理者向けの広告が提供される消費者により使用される端末装置の一例に対応する。例えば、消費者端末３０には、パーソナルコンピュータなどのデスクトップ型のコンピュータなどが対応する。これはあくまで一例であり、消費者端末３０は、ラップトップ型のコンピュータや携帯端末装置、ウェアラブル端末などの任意のコンピュータであってかまわない。
【００１７】
ここで言う「消費者」のあくまで一例として、上記の道路パトロール支援サービスに加入するサービス加入者の一例である道路管理者が挙げられる。例えば、道路管理者の一例として、国道の維持出張所、県あるいは市町村の土木部の道路維持課などの公的機関が挙げられる。このような公的機関の他、道路管理者は、公的機関から道路のパトロール業務の委託を受ける民間の維持補修業者であってもかまわない。
【００１８】
広告表示装置１０は、上記の広告表示サービスがアドインされた道路パトロール支援サービスを提供するコンピュータである。道路パトロール支援サービスは、道路を管理する各種の道路管理システムの一例に対応する。
【００１９】
一実施形態として、広告表示装置１０は、パッケージソフトウェア又はオンラインソフトウェアとして、上記の道路パトロール支援サービスに対応する機能を実現する道路パトロール支援プログラムを所望のコンピュータにインストールさせることによって実装できる。例えば、広告表示装置１０は、上記の道路パトロール支援サービスを提供するサーバとしてオンプレミスに実装することとしてもよいし、アウトソーシングによって上記の道路パトロール支援サービスを提供するクラウドとして実装することとしてもかまわない。
【００２０】
例えば、広告表示装置１０は、上記の道路パトロール支援サービスの一環として、携帯端末装置３ａから収集されるセンサデータを解析する。これによって、所定の道路区間ごとに当該道路区間における道路の劣化度が評価されたパトロールデータ１３ａを生成できる。例えば、携帯端末装置３ａから収集されたセンサデータのうち加速度は、路面状態を表す指標、例えば路面の劣化度合いと乗り心地と関連付けられた指標である走行性ＩＲＩ（International  Roughness  Index）にプラットフォームにより変換される。この走行性ＩＲＩは、路面の劣化度を示す指標の一例であり、例えば、その値が高いほど路面の凹凸が大きいことを示す。その上で、道路が所定の単位、例えば５０ｍで区切られた道路区間ごとに、当該道路区間を代表する劣化度の代表値、例えば平均値や中央値などを算出する統計処理がプラットフォームにより実行される。これによって、道路区間ごとに劣化度が対応付けられたパトロールデータ１３ａが得られる。
【００２１】
［課題の一側面］
上記の背景技術の欄でも説明した通り、既存の広告表示では、道路管理者向けの広告を適切に表示させることが困難である。
【００２２】
例えば、既存の広告表示では、Ｗｅｂサイトのアクセス履歴やポータルサイトの検索履歴などに基づいて広告が表示される。このような広告表示では、アクセス履歴や検索履歴が道路の補修に関するものであれば、道路管理者に向けて道路の補修部材や工法などの広告が表示されることがある。しかしながら、広告表示が行われた道路の補修部材や工法が必ずしも道路管理者にとって適切なものであるとは限らない。
【００２３】
あくまで一例として、管轄の道路の中に劣化が激しい道路が多い道路管理者に対する広告として、初期の劣化にしか効果がない補修部材や工法などの広告を表示したとしても、広告の効果は薄い。他の一例として、管轄の道路の中に初期の劣化しか見当たらない道路が多い道路管理者に対する広告として、大がかりな補修部材や工法などの広告を表示したとしても、広告の効果は薄い。
【００２４】
［課題解決のアプローチの一側面］
そこで、本実施例に係る広告表示装置１０は、所定の道路管理システムにログインする道路管理者により管轄される道路の劣化度に応じて道路の補修に関する広告を表示する。これによって、道路管理者向けの広告として、道路管理者が管轄する道路の劣化度に相応しい補修部材や工法を表示させる。
【００２５】
図２Ａ及び図２Ｂは、ウィンドウの一例を示す図である。図２Ａ及び図２Ｂには、上記の道路パトロール支援サービスによって消費者端末３０に表示されるウィンドウの一例が示されている。
【００２６】
図２Ａには、道路管理者が管轄する区域のうち一部の範囲、例えばＡ駅周辺の道路地図がピックアップされて表示されたメインウィンドウ２０Ａが示されている。このようにメインウィンドウ２０Ａに道路地図が表示される場合、道路区間ごとに当該道路区間における路面の劣化度が対応付けて表示される。ここでは、あくまで一例として、各道路区間の劣化度が「大」、「中」および「小」の３段階の区分に分類された上で表示される例が示されている。例えば、サブウィンドウ２１Ａに示された通り、劣化度が「大」に対応する道路区間は、黒の塗り潰しで表示され、劣化度が「中」に対応する道路区間は、点の網掛けで表示され、また、劣化度が「小」に対応する道路区間は、白の塗り潰しで表示される。さらに、サブウィンドウ２１Ａには、劣化度「大」、「中」および「小」の区分ごとに各区分に対応する道路区間の数が示されている。
【００２７】
ここで、メインウィンドウ２０Ａには、道路管理者向けの広告を表示する広告エリア２２Ａが含まれる。この広告エリア２２Ａには、あくまで一例として、上記の道路パトロール支援サービスにアドインされた広告表示サービスにより広告表示が行われる。例えば、メインウィンドウ２０Ａに表示される道路地図に含まれる劣化度の区分のうち、道路区間の数が最も多い劣化度の区分に対応する広告が表示される。本例では、サブウィンドウ２１Ａに示すように、劣化度「大」の道路区間の数が「１」であり、劣化度「中」の道路区間の数が「４」であり、また、劣化度「小」の道路区間の数が「５３」である。この場合、劣化度「小」の道路区間の数が最多であるので、小規模補修に対応する補修部材の広告が表示される。
【００２８】
このような広告エリア２２Ａの表示により、管轄の道路の中に初期の劣化しか見当たらない道路が多い道路管理者に対する広告として、大がかりな補修部材や工法などの広告が表示されるのを抑制し、小規模補修に対応する補修部材や工法などの広告表示を実現できる。
【００２９】
図２Ｂには、道路管理者が管轄する区域のうち一部の範囲、例えばＢ駅周辺の道路地図がピックアップされて表示されたメインウィンドウ２０Ｂが示されている。このメインウィンドウ２０Ｂにおいても、メインウィンドウ２０Ａと同様のロジックで、道路区間ごとに当該道路区間における路面の劣化度が対応付けて表示される。ここでも、一例として、各道路区間の劣化度が「大」、「中」および「小」の３段階の区分に分類された上で表示される例が示されている。例えば、サブウィンドウ２１Ｂに示された通り、劣化度が「大」に対応する道路区間は、黒の塗り潰しで表示され、劣化度が「中」に対応する道路区間は、点の網掛けで表示され、また、劣化度が「小」に対応する道路区間は、白の塗り潰しで表示される。さらに、サブウィンドウ２１Ｂには、劣化度「大」、「中」および「小」の区分ごとに各区分に対応する道路区間の数が示されている。
【００３０】
ここで、メインウィンドウ２０Ｂにも、メインウィンドウ２０Ａと同様、道路管理者向けの広告を表示する広告エリア２２Ｂが含まれる。この広告エリア２２Ｂにおいても、上記の道路パトロール支援サービスにアドインされた広告表示サービスにより広告表示が行われる。例えば、メインウィンドウ２０Ｂに表示される道路地図に含まれる劣化度の区分のうち、道路区間の数が最も多い劣化度の区分に対応する広告が表示される。本例では、サブウィンドウ２１Ｂに示すように、劣化度「大」の道路区間の数が「１９」であり、劣化度「中」の道路区間の数が「３」であり、また、劣化度「小」の道路区間の数が「９」である。この場合、劣化度「大」の道路区間の数が最多であるので、大規模補修に対応する補修部材の広告が表示される。
【００３１】
このような広告エリア２２Ｂの表示により、管轄の道路の中に劣化が激しい道路が多い道路管理者に対する広告として、初期の劣化にしか効果がない補修部材や工法などの広告が表示されるのを抑制し、大規模補修に対応する補修部材や工法などの広告表示を実現できる。
【００３２】
このように、本実施例に係る広告表示装置１０では、道路管理者向けの広告として、道路管理者が管轄する道路の劣化度に相応しい補修部材や工法などの広告を表示できる。したがって、本実施例に係る広告表示装置１０によれば、道路管理者向けの広告を適切に表示させることが可能になる。
【００３３】
［広告表示装置１０の構成］
図１に示すように、広告表示装置１０は、通信Ｉ／Ｆ（InterFace）部１１と、記憶部１３と、制御部１５とを有する。なお、図１には、データの授受の関係を表す実線が示されているが、説明の便宜上、最小限の部分について示されているに過ぎない。すなわち、各処理部に関するデータの入出力は、図示の例に限定されず、図示以外のデータの入出力、例えば処理部及び処理部の間、処理部及びデータの間、並びに、処理部及び外部装置の間のデータの入出力が行われることとしてもかまわない。
【００３４】
通信Ｉ／Ｆ部１１は、他の装置、例えば携帯端末装置３ａや消費者端末３０などとの間で通信制御を行うインタフェースの一例に対応する。
【００３５】
一実施形態として、通信Ｉ／Ｆ部１１には、ＬＡＮカードなどのネットワークインタフェースカードなどが対応する。例えば、通信Ｉ／Ｆ部１１は、携帯端末装置３ａからセンサデータを受け付けたり、センサデータのアップロード指示を携帯端末装置３ａへ出力したりする。また、通信Ｉ／Ｆ部１１は、上記の道路パトロール支援サービスへのログイン要求を始め、各種のリクエストを消費者端末３０から受け付けたり、上記の道路パトロール支援サービスへのログイン成功後にメニュー画面を始め、各種の画面を消費者端末３０へ出力したりする。
【００３６】
記憶部１３は、制御部１５で実行されるＯＳ（Operating  System）を始め、上記の道路パトロール支援プログラム、例えばアプリケーションプログラムやミドルウェアなどの各種プログラムに用いられるデータを記憶する機能部である。
【００３７】
一実施形態として、記憶部１３は、広告表示装置１０における補助記憶装置として実装することができる。例えば、記憶部１３には、ＨＤＤ（Hard  Disk  Drive）、光ディスクやＳＳＤ（Solid  State  Drive）などを採用できる。なお、記憶部１３は、必ずしも補助記憶装置として実装されずともよく、広告表示装置１０における主記憶装置として実装することもできる。この場合、記憶部１３には、各種の半導体メモリ素子、例えばＲＡＭ（Random  Access  Memory)やフラッシュメモリを採用できる。
【００３８】
記憶部１３は、制御部１５で実行されるプログラムに用いられるデータの一例として、パトロールデータ１３ａと、閾値データ１３ｂと、広告データ１３ｃとを記憶する。
【００３９】
これら図１に示されたデータ以外にも、記憶部１３には、他の電子データが記憶されることとしてもかまわない。例えば、記憶部１３には、携帯端末装置３ａから収集されるセンサデータ等が記憶されることとしてもかまわない。また、記憶部１３には、いわゆる道路ネットワークデータの他、上記の道路パトロール支援サービスに関するアカウント情報などが記憶されることとしてもかまわない。また、記憶部１３には、携帯端末装置３ａ以外の装置から収集される、ひび割れまたは空洞に関するデータなどが記憶されることとしてもかまわない。
【００４０】
なお、図１に示すパトロールデータ１３ａ、閾値データ１３ｂ及び広告データ１３ｃの説明は、各データの取得、生成または参照が行われる制御部１５の説明と合わせて行うこととする。
【００４１】
制御部１５は、広告表示装置１０の全体制御を行う処理部である。
【００４２】
一実施形態として、制御部１５は、ＣＰＵ（Central  Processing  Unit）やＭＰＵ（Micro  Processing  Unit）などのハードウェアプロセッサにより実装することができる。ここでは、プロセッサの一例として、ＣＰＵやＭＰＵを例示したが、汎用型および特化型を問わず、任意のプロセッサ、例えばＧＰＵ（Graphics  Processing  Unit）やＤＳＰ（Digital  Signal  Processor）の他、ＤＬＵ（Deep  Learning  Unit）やＧＰＧＰＵ（General-Purpose  computing  on  Graphics  Processing  Units）により実装することができる。この他、制御部１５は、ＡＳＩＣ（Application  Specific  Integrated  Circuit）やＦＰＧＡ（Field  Programmable  Gate  Array）などのハードワイヤードロジックによって実現されることとしてもかまわない。
【００４３】
制御部１５は、図示しない主記憶装置として実装されるＲＡＭのワークエリア上に、上記の道路パトロール支援プログラムを展開することにより、下記の処理部を仮想的に実現する。
【００４４】
ここでは、あくまで一例として、上記の広告表示サービスがアドインされた道路パトロール支援サービスに対応する機能がパッケージ化された道路パトロール支援プログラムが実行される例を挙げる。しかしながら、上記の道路パトロール支援サービスに代表される道路管理サービスと、上記の広告表示サービスとは、必ずしも同一の事業者により提供されずともかまわない。例えば、上記の道路パトロール支援サービスのプラットフォームとなるマシンとは別のマシンにより上記の広告表示サービスに対応する広告表示プログラムが個別に実行されることとしてもかまわない。
【００４５】
図１に示すように、制御部１５は、収集部１５ａと、解析部１５ｂと、受付部１５ｃと、算出部１５ｄと、決定部１５ｅと、表示部１５ｆとを有する。
【００４６】
収集部１５ａは、携帯端末装置３ａからセンサデータを収集する処理部である。
【００４７】
一実施形態として、収集部１５ａは、パトロール車両３に搭載された携帯端末装置３ａから、ＧＰＳ受信機等により測定された位置と、加速度センサにより検出された加速度とが対応付けられた時系列データをセンサデータとして収集する。このとき、センサデータは、パトロール車両３の走行中にリアルタイムでアップロードさせることとしてもよいし、パトロール終了後、あるいは定刻にバッチ処理でアップロードさせることとしてもかまわない。なお、図１には、説明の便宜上、１つのパトロール車両３及び携帯端末装置３ａを例示したが、収集部１５ａは、任意の数の携帯端末装置３ａからセンサデータを収集することができるのは言うまでもない。
【００４８】
解析部１５ｂは、携帯端末装置３ａから収集されるセンサデータを解析する処理部である。このような解析によって、所定の道路区間ごとに当該道路区間における道路の劣化度が評価されたパトロールデータ１３ａを生成できる。
【００４９】
一実施形態として、解析部１５ｂは、収集部１５ａによりセンサデータが収集された場合、当該センサデータに含まれる加速度を劣化度の一例に対応する走行性ＩＲＩに変換する。続いて、解析部１５ｂは、図示しない道路ネットワークデータと、センサデータに含まれる位置との間でマップマッチングを行うことで、パトロール車両３の位置が属する路線および道路区間を識別する。そして、解析部１５ｂは、センサデータに含まれるパトロール車両３の位置のうち、同一の道路区間に属するパトロール車両３の位置で観測された劣化度の代表値、例えば平均値や中央値などを算出する統計処理を実行する。その上で、解析部１５ｂは、道路区間ごとに劣化度が対応付けられたパトロールデータ１３ａのうち、上記の統計処理で劣化度の代表値が得られた道路区間に対応付けられた劣化度を上記の統計処理で得られた最新の劣化度に上書き更新する。これによって、パトロールデータ１３ａが最新の状態にアップデートされる。なお、ここでは、劣化度のあくまで一例として、路面の凹凸の度合いを評価する走行性ＩＲＩを用いる例を挙げたが、路面の劣化は路面の凹凸に限定されない。例えば、道路のひび割れまたは空洞が評価された指標を劣化度として用いることもできるし、また、路面の凹凸、ひび割れ及び空洞のうち２つ以上が総合的に評価された指標を劣化度として用いることもできる。
【００５０】
図３は、図１に示されたパトロールデータ１３ａの一例を示す図である。図３に示すように、パトロールデータ１３ａには、道路管理者、路線ＩＤ（IDentification）、区間ＩＤ及び劣化度などの項目が含まれる。
【００５１】
ここで言う「道路管理者」のフィールドには、あくまで一例として、道路管理者が管轄とする区域、例えば都道府県、あるいは市町村などのラベルが格納される。また、「路線ＩＤ」とは、路線の識別情報の一例を指し、例えば、国道、都道、府道、県道や市道を識別するコードが格納される。また、「区間ＩＤ」とは、路線上の道路区間を識別する情報の一例を指し、あくまで一例として、路線ＩＤにより識別される路線に属する道路区間ごとに区間ＩＤが付与される。ここでは、あくまで一例として、「路線ＩＤ」及び「区間ＩＤ」の２つの組合せにより１つの道路区間が一意に特定される例を挙げる。また、「劣化度」とは、路面の劣化度を指し、あくまで一例として、「大」、「中」および「小」の３段階の区分に分類される。
【００５２】
図３に示すパトロールデータ１３ａの例で言えば、路線ＩＤ「００００１」で識別される路線に関する劣化度が抜粋して示されている。例えば、上から１番目のレコードの例で言えば、路線ＩＤ「００００１」で識別される路線のうち区間ＩＤ「００００１」の道路区間は、○○県の管轄であり、劣化度が「小」であることをコンピュータに識別されることができる。また、上から５番目のレコードの例で言えば、路線ＩＤ「００００１」で識別される路線のうち区間ＩＤ「０００１１」の道路区間は、△△市の管轄であり、劣化度が「中」であることをコンピュータに識別されることができる。また、上から９番目のレコードの例で言えば、路線ＩＤ「００００１」で識別される路線のうち区間ＩＤ「００１０１」の道路区間は、□□市の管轄であり、劣化度が「大」であることをコンピュータに識別されることができる。
【００５３】
なお、図３では、パトロールデータ１３ａに道路管理者の項目が含まれる例を挙げたが、「路線ＩＤ」及び「区間ＩＤ」の２つの組合せにより１つの道路区間が一意に特定される例を挙げたが、道路区間ごとに一意に特定可能なＩＤを付与することもできる。この他、図３では、劣化度が「大」、「中」および「小」の３段階の区分に分類される例を挙げたが、当然のことながら、２段階の区分に分類されることとしてもよいし、４段階以上の区分に分類されることとしてもかまわない。
【００５４】
受付部１５ｃは、消費者端末３０から各種のリクエストを受け付ける処理部である。
【００５５】
１つの側面として、受付部１５ｃは、消費者端末３０から上記の道路パトロール支援サービスへのログイン要求を受け付ける。その後、ログイン認証の成功後には、受付部１５ｃは、上記の道路パトロール支援サービスで提供される各種のメニュー、例えばメニュー画面に表示される各種のメニューに関するリクエストを受け付けることができる。このリクエストの中には、道路管理者が管轄する区域の一部または全部に対応する道路地図の表示、例えば図２Ａや図２Ｂに示された表示が含まれることとしてかまわない。
【００５６】
算出部１５ｄは、道路管理者が管轄する道路の劣化度を算出する処理部である。以下、道路管理者が管轄する道路のことを「管轄道路」と記載する場合がある。
【００５７】
１つの側面として、算出部１５ｄは、パトロールデータ１３ａを用いて、劣化度の区分ごとに当該区分に属する道路区間の数を集計する。この集計処理によって劣化度の区分ごとに得られる道路区間の集計値を道路管理者の管轄道路の劣化度として算出する。このとき、算出部１５ｄは、受付部１５ｃにより受け付けられたリクエストによって表示される画面に道路地図が含まれるか否かにより、上記の集計処理の対象とする道路区間の範囲を切り替える。例えば、ログイン直後に表示されるメニュー画面には、道路地図は含まれない。この場合、パトロールデータ１３ａのうち道路管理者の管轄全体の道路区間が上記の集計処理の対象とされる。また、メニュー画面以外の他の画面が表示される場合でも、道路地図は含まれないならば、道路管理者の管轄全体の道路区間が上記の集計処理の対象とされる。一方、道路地図の表示、例えば図２Ａや図２Ｂに示された表示が含まれる場合、道路管理者の管轄のうち道路地図で表示される範囲に含まれる道路区間が上記の集計処理の対象とされる。
【００５８】
このように、上記の集計処理によって算出される劣化度の区分ごとの道路区間の集計値そのものを道路管理者の管轄道路の劣化度として用いることもできるが、道路管理者の管轄道路の劣化度を正規化することもできる。例えば、算出部１５ｄは、劣化度の区分ごとに当該区分に属する道路区間の数が全区分の道路区間の総数に占める割合を算出することにより、劣化度の区分ごとに得られる割合を道路管理者の管轄道路の劣化度として算出することもできる。
【００５９】
以下、上記の集計処理によって劣化度の区分ごとに集計される道路区間の集計値のことを「区分集計値」と記載すると共に、区分集計値が全区分の道路区間の総数に占める割合のことを「区分集計値の割合」と記載する場合がある。
【００６０】
図４Ａ〜図４Ｃは、劣化度の区分集計値の割合の一例を示す図である。このうち、図４Ａには、道路管理者が「○○県」である場合における劣化度の区分集計値の割合が示されている。図４Ａに示す例で言えば、○○県の管轄道路のうち、劣化度の区分が「大」である道路区間の割合が２％であり、劣化度の区分が「中」である道路区間の割合が３％であり、また、劣化度の区分が「小」である道路区間の割合が９５％であることを示す。また、図４Ｂには、道路管理者が「△△市」である場合における劣化度の区分集計値の割合が示されている。図４Ｂに示す例で言えば、△△市の管轄道路のうち、劣化度の区分が「大」である道路区間の割合が１０％であり、劣化度の区分が「中」である道路区間の割合が５５％であり、また、劣化度の区分が「小」である道路区間の割合が４５％であることを示す。さらに、図４Ｃには、道路管理者が「□□市」である場合における劣化度の区分集計値の割合が示されている。図４Ｃに示す例で言えば、□□市の管轄道路のうち、劣化度の区分が「大」である道路区間の割合が６０％であり、劣化度の区分が「中」である道路区間の割合が３５％であり、また、劣化度の区分が「小」である道路区間の割合が５％であることを示す。
【００６１】
決定部１５ｅは、道路管理者の管轄道路の劣化度に応じて表示対象とする広告を決定する処理部である。
【００６２】
１つの側面として、決定部１５ｅは、図２Ａや図２Ｂを用いて説明した通り、算出部１５ｄにより劣化度の区分ごとに算出された区分集計値のうち、最大の区分集計値を有する劣化度の区分に対応する広告を表示対象とする広告として決定することができる。
【００６３】
他の側面として、決定部１５ｅは、算出部１５ｄにより劣化度の区分ごとに算出された区分集計値の割合のうち、区分集計値の割合が所定の閾値、例えば図５に示す劣化度の区分別の閾値以上である劣化度の区分に対応する広告を表示対象とする広告として決定することもできる。
【００６４】
図５は、閾値データ１３ｂの一例を示す図である。図５には、劣化度の区分ごとに区分集計値の割合と比較する閾値の一例が示されている。図５に示す例で言えば、劣化度の区分「大」の区分集計値の割合が１０％以上である場合、劣化度の区分「大」に対応する広告が表示対象とされる。また、劣化度の区分「中」の区分集計値の割合が２０％以上である場合、劣化度の区分「中」に対応する広告が表示対象とされる。また、劣化度の区分「小」の区分集計値の割合が３０％以上である場合、劣化度の区分「小」に対応する広告が表示対象とされる。
【００６５】
このように広告対象とする劣化度の区分が決定された後、決定部１５ｅは、広告および劣化度の区分が対応付けられた広告データ１３ｃのうち、広告対象とする劣化度の区分に対応する広告を表示対象とする広告として決定することができる。
【００６６】
図６は、広告データ１３ｃの一例を示す図である。図６に示すように、広告データ１３ｃには、広告ＩＤ、広告主、広告商品、対応劣化度、広告用画像および広告リンクなどの項目が含まれる。ここで言う「広告ＩＤ」とは、広告の識別情報の一例に対応する。また、「広告主」とは、そのまま広告主を指す。また、「広告商品」とは、広告とされる商品を指し、例えば、道路管理者向けの広告の場合、道路の補修部材や工法などが商品とされる。また、「対応劣化度」とは、広告商品に対応する劣化度の区分を指す。また、「広告用画像」とは、ウィンドウのうち広告エリアに表示される広告の画像を指す。また、「広告リンク」とは、広告エリアに対する操作を条件にアクセスさせるＷｅｂページのリンクを指し、例えば、広告主サイトにおける広告商品の販売ページ、あるいは他の販売サイトにおける広告商品の販売ページなどのハイパーリンクなどが挙げられる。
【００６７】
図６に示す広告データ１３ｃの例で言えば、広告ＩＤ「Ａ−１」で識別される広告商品「材料１」は、劣化度の区分「小」に対応する広告であることを意味する。また、広告ＩＤ「Ａ−２」で識別される広告商品「材料２」は、劣化度の区分「中」に対応する広告であることを意味する。さらに、広告ＩＤ「Ｂ−３」で識別される広告商品「工法３」は、劣化度の区分「大」に対応する広告であることを意味する。
【００６８】
例えば、道路管理者「○○県」の管轄道路の劣化度として、図４Ａに示す劣化度の区分集計値の割合が得られたとしたとき、図５に示す閾値データ１３ｂに定められた閾値以上という条件を満たすのは劣化度の区分「小」だけである。この場合、図６に示す広告データ１３ｃを参照して、劣化度の区分「小」に対応する広告ＩＤ「Ａ−１」の広告が表示対象とする広告として決定される。図７Ａは、広告の決定結果の一例を示す図である。図７Ａに示すように、上記の道路パトロール支援サービスにより表示されるウィンドウに定められた広告エリア１〜広告エリア３のうち、広告エリア１に広告ＩＤ「Ａ−１」で識別される広告商品「材料１」が表示されることが決定される。
【００６９】
また、道路管理者「△△市」の管轄道路の劣化度として、図４Ｂに示す劣化度の区分集計値の割合が得られたとしたとき、全ての劣化度の区分において図５に示す閾値データ１３ｂに定められた閾値以上という条件を満たす。この場合、図６に示す広告データ１３ｃを参照して、劣化度の区分「大」に対応する広告ＩＤ「Ｂ−３」の広告、劣化度の区分「中」に対応する広告ＩＤ「Ａ−２」の広告、並びに、劣化度の区分「小」に対応する広告ＩＤ「Ａ−１」の広告が表示対象とする広告として決定される。図７Ｂは、広告の決定結果の一例を示す図である。図７Ｂに示すように、上記の道路パトロール支援サービスにより表示されるウィンドウに定められた広告エリア１〜広告エリア３のうち、広告エリア１に広告ＩＤ「Ｂ−３」で識別される広告商品「工法３」が表示され、広告エリア２に広告ＩＤ「Ａ−２」で識別される広告商品「材料２」が表示されると共に、広告エリア３に広告ＩＤ「Ａ−１」で識別される広告商品「材料１」が表示されることが決定される。
【００７０】
また、道路管理者「□□市」の管轄道路の劣化度として、図４Ｃに示す劣化度の区分集計値の割合が得られたとしたとき、図５に示す閾値データ１３ｂに定められた閾値以上という条件を満たすのは劣化度の区分「大」および劣化度の区分「中」である。この場合、図６に示す広告データ１３ｃを参照して、劣化度の区分「大」に対応する広告ＩＤ「Ｂ−３」の広告、並びに、劣化度の区分「中」に対応する広告ＩＤ「Ａ−２」の広告が表示対象とする広告として決定される。図７Ｃは、広告の決定結果の一例を示す図である。図７Ｃに示すように、上記の道路パトロール支援サービスにより表示されるウィンドウに定められた広告エリア１〜広告エリア３のうち、広告エリア１に広告ＩＤ「Ｂ−３」で識別される広告商品「工法３」が表示されると共に、広告エリア２に広告ＩＤ「Ａ−２」で識別される広告商品「材料２」が表示されることが決定される。
【００７１】
表示部１５ｆは、消費者端末３０に対する表示制御を実行する処理部である。
【００７２】
一実施形態として、表示部１５ｆは、受付部１５ｃにより受け付けられたリクエストにしたがって上記の道路パトロール支援サービスにより提供される画面を消費者端末３０に表示させると共に、当該画面に設定された広告エリアに決定部１５ｅにより決定された広告を表示させる。
【００７３】
図８Ａは、メニュー画面の一例を示す図である。図８Ａには、図７Ａに示す広告の決定結果にしたがって道路管理者「○○県」のメニュー画面８０Ａが表示される例が示されている。ここで、広告エリア８０Ａ１は、図７Ａに示す広告エリア１に対応し、広告エリア８０Ａ２は、図７Ａに示す広告エリア２に対応し、広告エリア８０Ａ３は、図７Ａに示す広告エリア３に対応することとする。図８Ａに示すように、メニュー画面８０Ａには、図７Ａに示す広告の決定結果にしたがって３つの広告エリア８０Ａ１〜８０Ａ３のうち広告エリア８０Ａ１に広告ＩＤ「Ａ−１」で識別される広告商品「材料１」が表示される一方で、広告エリア８０Ａ２及び広告エリア８０Ａ３には広告が表示されない。なお、ここでは、広告が表示されない広告エリア８０Ａ２及び広告エリア８０Ａ３の表示が「なし」とされているが、これはあくまでも模式図であり、実際にはメニュー画面のうち該当する領域をマスクせずに表示させることができる。
【００７４】
図８Ｂは、メニュー画面の一例を示す図である。図８Ｂには、図７Ｂに示す広告の決定結果にしたがって道路管理者「△△市」のメニュー画面８０Ｂが表示される例が示されている。ここで、広告エリア８０Ｂ１は、図７Ｂに示す広告エリア１に対応し、広告エリア８０Ｂ２は、図７Ｂに示す広告エリア２に対応し、広告エリア８０Ｂ３は、図７Ｂに示す広告エリア３に対応することとする。図８Ｂに示すように、メニュー画面８０Ｂには、図７Ｂに示す広告の決定結果にしたがって広告エリア８０Ｂ１に広告ＩＤ「Ｂ−３」で識別される広告商品「工法３」が表示され、広告エリア８０Ｂ２に広告ＩＤ「Ａ−２」で識別される広告商品「材料２」が表示されると共に、広告エリア８０Ｂ３に広告ＩＤ「Ａ−１」で識別される広告商品「材料１」が表示される。
【００７５】
図８Ｃは、メニュー画面の一例を示す図である。図８Ｃには、図７Ｃに示す広告の決定結果にしたがって道路管理者「□□市」のメニュー画面８０Ｃが表示される例が示されている。ここで、広告エリア８０Ｃ１は、図７Ｃに示す広告エリア１に対応し、広告エリア８０Ｃ２は、図７Ｃに示す広告エリア２に対応し、広告エリア８０Ｃ３は、図７Ｃに示す広告エリア３に対応することとする。図８Ｃに示すように、メニュー画面８０Ｃには、図７Ｃに示す広告の決定結果にしたがって３つの広告エリア８０Ａ１〜８０Ａ３のうち広告エリア８０Ｃ１に広告ＩＤ「Ｂ−３」で識別される広告商品「工法３」が表示されると共に広告エリア８０Ｃ２に広告ＩＤ「Ａ−２」で識別される広告商品「材料２」が表示される。その一方で、広告エリア８０Ｃ３には広告が表示されない。なお、ここでは、広告が表示されない広告エリア８０Ｃ３の表示が「なし」とされているが、これはあくまでも模式図であり、実際にはメニュー画面のうち該当する領域をマスクせずに表示させることができる。
【００７６】
これら図８Ａ〜図８Ｃに示すように、異なる道路管理者「○○県」、「△△市」及び「□□市」に異なる広告表示を行うと共に、道路管理者「○○県」、「△△市」及び「□□市」の各々が管轄する道路の劣化度に相応しい補修部材や工法などの広告を表示できる。
【００７７】
［処理の流れ］
図９は、実施例１に係る広告表示処理の手順を示すフローチャートである。この処理は、あくまで一例として、上記の道路パトロール支援サービスへのログイン要求を受け付けた場合に開始される。
【００７８】
図９に示すように、受付部１５ｃによりログイン要求が受け付けられると（ステップＳ１０１）、受付部１５ｃは、ログイン認証で上記の道路パトロール支援サービスのユーザである道路管理者を識別する（ステップＳ１０２）。
【００７９】
続いて、算出部１５ｄは、パトロールデータ１３ａのうち道路管理者の管轄全体の道路区間を対象とし、劣化度の区分ごとに当該区分に属する道路区間の数が全区分の道路区間の総数に占める割合を道路管理者の管轄道路の劣化度として算出する（ステップＳ１０３）。
【００８０】
そして、決定部１５ｅは、ステップＳ１０３で劣化度の区分ごとに算出された区分集計値の割合のうち、区分集計値の割合が所定の閾値、例えば図５に示す劣化度の区分別の閾値以上である劣化度の区分に対応する広告を表示対象とする広告として決定する（ステップＳ１０４）。
【００８１】
その上で、表示部１５ｆは、上記の道路パトロール支援サービスにより提供されるメニュー画面を消費者端末３０に表示させると共に、当該画面に設定された広告エリアにステップＳ１０４で決定された広告を表示させる（ステップＳ１０５）。
【００８２】
その後、受付部１５ｃが受け付けるリクエストによって画面が遷移し、かつ遷移後の画面に道路地図が含まれる場合（ステップＳ１０６ＹｅｓかつステップＳ１０７Ｙｅｓ）、算出部１５ｄは、次のような処理を実行する。すなわち、算出部１５ｄは、パトロールデータ１３ａのうち道路地図で表示される範囲に含まれる道路区間を対象とし、劣化度の区分ごとに当該区分に属する道路区間の数が全区分の道路区間の総数に占める割合を道路管理者の管轄道路の劣化度として算出する（ステップＳ１０８）。
【００８３】
そして、決定部１５ｅは、ステップＳ１０８で劣化度の区分ごとに算出された区分集計値の割合のうち、区分集計値の割合が所定の閾値以上である劣化度の区分に対応する広告を表示対象とする広告として決定する（ステップＳ１０４）。その上で、表示部１５ｆは、上記の道路地図画面を消費者端末３０に表示させると共に、当該道路地図画面に設定された広告エリアにステップＳ１０４で決定された広告を表示させる（ステップＳ１０５）。
【００８４】
一方、受付部１５ｃが受け付けるリクエストによって画面が遷移するが、遷移後の画面に道路地図が含まれない場合（ステップＳ１０６ＹｅｓかつステップＳ１０７Ｎｏ）、上記のステップＳ１０３からステップＳ１０５までの処理が繰り返して実行される。
【００８５】
なお、図９に示す広告表示処理は、上記の道路パトロール支援サービスからログアウトされるまで繰り返し実行される。
【００８６】
［効果の一側面］
上述してきたように、本実施例に係る広告表示装置１０は、所定の道路管理システムにログインする道路管理者により管轄される道路の劣化度に応じて道路の補修に関する広告を表示する。それ故、本実施例に係る広告表示装置１０では、道路管理者向けの広告として、道路管理者が管轄する道路の劣化度に相応しい補修部材や工法などの広告を表示できる。したがって、本実施例に係る広告表示装置１０によれば、道路管理者向けの広告を適切に表示させることが可能である。
【実施例２】
【００８７】
さて、これまで開示の装置に関する実施例について説明したが、本発明は上述した実施例以外にも、種々の異なる形態にて実施されてよいものである。そこで、以下では、本発明に含まれる他の実施例を説明する。
【００８８】
［広告の決定基準の応用例１］
例えば、上記の実施例１では、最大の区分集計値を有する劣化度の区分に対応する広告、あるいは区分集計値の割合が閾値以上である劣化度の区分に対応する広告を表示対象とする広告として決定する例を挙げたが、これに限定されない。例えば、上記の集計処理で道路区間の数を集計する代わりに、劣化度の区分ごとに当該区分に属する道路区間の区間長を集計し、この区間長の集計値が所定の閾値以上である劣化度の区分に対応する広告を表示対象とする広告として決定することもできる。
【００８９】
［広告の決定基準の応用例２］
例えば、上記の実施例１では、路面の劣化度に基づいて広告を決定する例を挙げたが、路面の劣化度だけではなく、さらに、地盤特性（＝地域特性）に基づいて表示対象とする広告を決定することもできる。例えば、同じ劣化度の区分であっても、地盤が軟弱または盤石であるか否かにより、表示対象とする広告に差を設けることができる。あくまで一例として、劣化度の区分「大」である場合、地盤が盤石であれば、中規模補修に対応する広告を決定し、地盤が軟弱であれば、大規模補修に対応する広告を決定することもできる。
【００９０】
［広告の決定基準の応用例３］
例えば、上記の実施例１では、路面の劣化度に基づいて広告を決定する例を挙げたが、路面の劣化度だけではなく、さらに、重要度や交通量に基づいて表示対象とする広告を決定することもできる。例えば、同じ劣化度の区分であっても、重要度の高低や交通量の多寡により、表示対象とする広告に差を設けることができる。あくまで一例として、劣化度の区分「大」である場合、重要度が高く、かつ交通量が所定の閾値以上であれば、大規模補修に対応する広告を決定し、重要度または交通量のいずれかが所定の閾値未満であれば、中規模補修に対応する広告を決定することもできる。
【００９１】
［広告の表示例］
例えば、広告表示装置１０は、広告の背景を劣化度の区分を示す表示形態、例えばフォント、色や塗りつぶしで表示させることができる。例えば、図２Ａや図２Ｂに示す例で言えば、劣化度「大」に対応する広告の背景を黒の塗り潰しで表示し、劣化度「中」に対応する広告の背景を点の網掛けで表示し、また、劣化度「小」に対応する広告の背景を白の塗り潰しで表示することができる。
【００９２】
［分散および統合］
また、図示した各装置の各構成要素は、必ずしも物理的に図示の如く構成されておらずともよい。すなわち、各装置の分散・統合の具体的形態は図示のものに限られず、その全部または一部を、各種の負荷や使用状況などに応じて、任意の単位で機能的または物理的に分散・統合して構成することができる。例えば、収集部１５ａ、解析部１５ｂ、受付部１５ｃ、算出部１５ｄ、決定部１５ｅまたは表示部１５ｆを広告表示装置１０の外部装置としてネットワーク経由で接続するようにしてもよい。また、収集部１５ａ、解析部１５ｂ、受付部１５ｃ、算出部１５ｄ、決定部１５ｅまたは表示部１５ｆを別の装置がそれぞれ有し、ネットワーク接続されて協働することで、上記の広告表示装置１０の機能を実現するようにしてもよい。
【００９３】
［広告表示プログラム］
また、上記の実施例で説明した各種の処理は、予め用意されたプログラムをパーソナルコンピュータやワークステーションなどのコンピュータで実行することによって実現することができる。そこで、以下では、図１０を用いて、上記の実施例と同様の機能を有する広告表示プログラムを実行するコンピュータの一例について説明する。
【００９４】
図１０は、実施例１及び実施例２に係る広告表示プログラムを実行するコンピュータのハードウェア構成例を示す図である。図１０に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。
【００９５】
ＨＤＤ１７０には、図１０に示すように、上記の実施例１で示した収集部１５ａ、解析部１５ｂ、受付部１５ｃ、算出部１５ｄ、決定部１５ｅおよび表示部１５ｆと同様の機能を発揮する広告表示プログラム１７０ａが記憶される。この広告表示プログラム１７０ａは、図１に示した収集部１５ａ、解析部１５ｂ、受付部１５ｃ、算出部１５ｄ、決定部１５ｅおよび表示部１５ｆの各構成要素と同様、統合又は分離してもかまわない。すなわち、ＨＤＤ１７０には、必ずしも上記の実施例１で示した全てのデータが格納されずともよく、処理に用いるデータがＨＤＤ１７０に格納されればよい。
【００９６】
このような環境の下、ＣＰＵ１５０は、ＨＤＤ１７０から広告表示プログラム１７０ａを読み出した上でＲＡＭ１８０へ展開する。この結果、広告表示プログラム１７０ａは、図１０に示すように、広告表示プロセス１８０ａとして機能する。この広告表示プロセス１８０ａは、ＲＡＭ１８０が有する記憶領域のうち広告表示プロセス１８０ａに割り当てられた領域にＨＤＤ１７０から読み出した各種データを展開し、この展開した各種データを用いて各種の処理を実行する。例えば、広告表示プロセス１８０ａが実行する処理の一例として、図９に示す処理などが含まれる。なお、ＣＰＵ１５０では、必ずしも上記の実施例１で示した全ての処理部が動作せずともよく、実行対象とする処理に対応する処理部が仮想的に実現されればよい。
【００９７】
なお、上記の広告表示プログラム１７０ａは、必ずしも最初からＨＤＤ１７０やＲＯＭ１６０に記憶されておらずともかまわない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に広告表示プログラム１７０ａを記憶させる。そして、コンピュータ１００がこれらの可搬用の物理媒体から広告表示プログラム１７０ａを取得して実行するようにしてもよい。また、公衆回線、インターネット、ＬＡＮ、ＷＡＮなどを介してコンピュータ１００に接続される他のコンピュータまたはサーバ装置などに広告表示プログラム１７０ａを記憶させておき、コンピュータ１００がこれらから広告表示プログラム１７０ａを取得して実行するようにしてもよい。
【００９８】
以上の実施例を含む実施形態に関し、さらに以下の付記を開示する。
【００９９】
（付記１）所定の道路管理システムにログインする道路管理者により管轄される管轄道路の劣化度を算出し、
前記道路管理者の管轄道路の劣化度に応じて、前記道路管理システムにより提供される画面の一部に表示させる道路補修に関する広告を決定する、
処理をコンピュータに実行させる広告表示プログラム。
【０１００】
（付記２）前記算出する処理は、所定の道路区間ごとに劣化度の区分が対応付けられた劣化度データのうち前記道路管理者により管轄される区域に含まれる道路区間を対象とし、前記劣化度の区分ごとに当該区分に属する道路区間を集計し、
前記決定する処理は、前記劣化度の区分ごとに得られる道路区間の集計値のうち最大の道路区間の集計値が算出された区分に対応する広告を表示対象の広告として決定することを特徴とする付記１に記載の広告表示プログラム。
【０１０１】
（付記３）前記算出する処理は、前記道路管理システムにより提供される画面に道路地図が含まれる場合、前記劣化度データのうち前記道路地図が表示される範囲に含まれる道路区間を対象とし、前記劣化度の区分ごとに当該区分に属する道路区間を集計することを特徴とする付記２に記載の広告表示プログラム。
【０１０２】
（付記４）前記算出する処理は、所定の道路区間ごとに劣化度の区分が対応付けられた劣化度データのうち前記道路管理者により管轄される区域に含まれる道路区間を対象とし、前記劣化度の区分ごとに当該区分に属する道路区間の数が全区分の総数に占める割合を算出し、
前記決定する処理は、前記割合が所定の閾値以上である前記劣化度の区分に対応する広告を表示対象の広告として決定することを特徴とする付記１に記載の広告表示プログラム。
【０１０３】
（付記５）前記算出する処理は、前記道路管理システムにより提供される画面に道路地図が含まれる場合、前記劣化度データのうち前記道路地図が表示される範囲に含まれる道路区間を対象とし、前記劣化度の区分ごとに当該区分に属する道路区間の数が全区分の総数に占める割合を算出することを特徴とする付記４に記載の広告表示プログラム。
【０１０４】
（付記６）前記決定する処理は、前記割合が所定の閾値以上である前記劣化度の区分に対応する広告の背景を前記区分に対応する表示形態で表示させることを決定する付記４に記載の広告表示プログラム。
【０１０５】
（付記７）所定の道路管理システムにログインする道路管理者により管轄される管轄道路の劣化度を算出し、
前記道路管理者の管轄道路の劣化度に応じて、前記道路管理システムにより提供される画面の一部に表示させる道路補修に関する広告を決定する、
処理をコンピュータが実行する広告表示方法。
【０１０６】
（付記８）前記算出する処理は、所定の道路区間ごとに劣化度の区分が対応付けられた劣化度データのうち前記道路管理者により管轄される区域に含まれる道路区間を対象とし、前記劣化度の区分ごとに当該区分に属する道路区間を集計し、
前記決定する処理は、前記劣化度の区分ごとに得られる道路区間の集計値のうち最大の道路区間の集計値が算出された区分に対応する広告を表示対象の広告として決定することを特徴とする付記７に記載の広告表示方法。
【０１０７】
（付記９）前記算出する処理は、前記道路管理システムにより提供される画面に道路地図が含まれる場合、前記劣化度データのうち前記道路地図が表示される範囲に含まれる道路区間を対象とし、前記劣化度の区分ごとに当該区分に属する道路区間を集計することを特徴とする付記８に記載の広告表示方法。
【０１０８】
（付記１０）前記算出する処理は、所定の道路区間ごとに劣化度の区分が対応付けられた劣化度データのうち前記道路管理者により管轄される区域に含まれる道路区間を対象とし、前記劣化度の区分ごとに当該区分に属する道路区間の数が全区分の総数に占める割合を算出し、
前記決定する処理は、前記割合が所定の閾値以上である前記劣化度の区分に対応する広告を表示対象の広告として決定することを特徴とする付記７に記載の広告表示方法。
【０１０９】
（付記１１）前記算出する処理は、前記道路管理システムにより提供される画面に道路地図が含まれる場合、前記劣化度データのうち前記道路地図が表示される範囲に含まれる道路区間を対象とし、前記劣化度の区分ごとに当該区分に属する道路区間の数が全区分の総数に占める割合を算出することを特徴とする付記１０に記載の広告表示方法。
【０１１０】
（付記１２）前記決定する処理は、前記割合が所定の閾値以上である前記劣化度の区分に対応する広告の背景を前記区分に対応する表示形態で表示させることを決定する付記１０に記載の広告表示方法。
【０１１１】
（付記１３）所定の道路管理システムにログインする道路管理者により管轄される管轄道路の劣化度を算出する算出部と、
前記道路管理者の管轄道路の劣化度に応じて、前記道路管理システムにより提供される画面の一部に表示させる道路補修に関する広告を決定する決定部と、
を有することを特徴とする広告表示装置。
【０１１２】
（付記１４）前記算出部は、所定の道路区間ごとに劣化度の区分が対応付けられた劣化度データのうち前記道路管理者により管轄される区域に含まれる道路区間を対象とし、前記劣化度の区分ごとに当該区分に属する道路区間を集計し、
前記決定部は、前記劣化度の区分ごとに得られる道路区間の集計値のうち最大の道路区間の集計値が算出された区分に対応する広告を表示対象の広告として決定することを特徴とする付記１３に記載の広告表示装置。
【０１１３】
（付記１５）前記算出部は、前記道路管理システムにより提供される画面に道路地図が含まれる場合、前記劣化度データのうち前記道路地図が表示される範囲に含まれる道路区間を対象とし、前記劣化度の区分ごとに当該区分に属する道路区間を集計することを特徴とする付記１４に記載の広告表示装置。
【０１１４】
（付記１６）前記算出部は、所定の道路区間ごとに劣化度の区分が対応付けられた劣化度データのうち前記道路管理者により管轄される区域に含まれる道路区間を対象とし、前記劣化度の区分ごとに当該区分に属する道路区間の数が全区分の総数に占める割合を算出し、
前記決定部は、前記割合が所定の閾値以上である前記劣化度の区分に対応する広告を表示対象の広告として決定することを特徴とする付記１３に記載の広告表示装置。
【０１１５】
（付記１７）前記算出部は、前記道路管理システムにより提供される画面に道路地図が含まれる場合、前記劣化度データのうち前記道路地図が表示される範囲に含まれる道路区間を対象とし、前記劣化度の区分ごとに当該区分に属する道路区間の数が全区分の総数に占める割合を算出することを特徴とする付記１６に記載の広告表示装置。
【０１１６】
（付記１８）前記決定部は、前記割合が所定の閾値以上である前記劣化度の区分に対応する広告の背景を前記区分に対応する表示形態で表示させることを決定する付記１６に記載の広告表示装置。
【符号の説明】
【０１１７】
３    パトロール車両
３ａ  携帯端末装置
１０    広告表示装置
１１    通信Ｉ／Ｆ部
１３    記憶部
１３ａ  パトロールデータ
１３ｂ  閾値データ
１３ｃ  広告データ
１５    制御部
１５ａ  収集部
１５ｂ  解析部
１５ｃ  受付部
１５ｄ  算出部
１５ｅ  決定部
１５ｆ  表示部
３０    消費者端末
【図１】
2020140388.tif 000003
【図２Ａ】
2020140388.tif 000004
【図２Ｂ】
2020140388.tif 000005
【図３】
2020140388.tif 000006
【図４Ａ】
2020140388.tif 000007
【図４Ｂ】
2020140388.tif 000008
【図４Ｃ】
2020140388.tif 000009
【図５】
2020140388.tif 000010
【図６】
2020140388.tif 000011
【図７Ａ】
2020140388.tif 000012
【図７Ｂ】
2020140388.tif 000013
【図７Ｃ】
2020140388.tif 000014
【図８Ａ】
2020140388.tif 000015
【図８Ｂ】
2020140388.tif 000016
【図８Ｃ】
2020140388.tif 000017
【図９】
2020140388.tif 000018
【図１０】
2020140388.tif 000019